(57)【要約】【課題】建築材料の管理データを、建築材料そのものと分離することなく記録し、当該データを随時確認することができるシステムを提供すること。【解決手段】建築材料１，４に取り付けられる非接触型のＩＣタグ３と、前記ＩＣタグ３に対しデータの書込み・読出しを行うリーダライタ１０とを有し、少なくとも前記建築材料１，４の管理データが前記ＩＣタグ３に対して書込み・読み出されることを特徴とする建築材料管理データ記録システムである。【選択図】図８
2014169543.tif 000002
【特許請求の範囲】
【請求項１】
建築材料に取り付けられる非接触型のＩＣタグと、前記ＩＣタグに対しデータの書込み・読出しを行うリーダライタとを有し、少なくとも前記建築材料の管理データが前記ＩＣタグに対して書込み・読み出されることを特徴とする建築材料管理データ記録システム。
【請求項２】
建築材料は、木材板または合成樹脂材板を貼り合せて形成されたコンクリート型枠用合板であり、前記コンクリート型枠用合板の最小単位部材にＩＣタグが取り付けられることを特徴とする請求項１に記載の建築材料管理データ記録システム。
【請求項３】
無線ＩＣタグは、コンクリート型枠用合板の表面に止着されて取り付けられることを特徴とする請求項１または２に記載の建築材料管理データ記録システム。
【請求項４】
無線ＩＣタグは、コンクリート型枠用合板に埋設されて取り付けられることを特徴とする請求項１または２に記載の建築材料管理データ記録システム。
【請求項５】
無線ＩＣタグに記憶させる管理データは、建築材料性能データ、建築材料履歴データ、建築材料配置データの少なくともいずれかを含むことを特徴とする請求項１乃至４のいずれかに記載の建築材料管理データ記録システム。
【請求項６】
リーダライタと接続可能な演算装置を有し、管理データは前記演算装置に記憶された表示フォーマットに関連付けて表示装置に表示可能に処理されることを特徴とする請求項１乃至５のいずれかに記載の建築材料管理データ記録システム。
【請求項７】
木材板または合成樹脂材板を貼り合せて形成されたコンクリート型枠用合板であって、建築材料の管理データが記録されるＩＣタグが取り付けられてなることを特徴とするコンクリート型枠用合板。
【発明の詳細な説明】
【技術分野】
【０００１】
本発明は、建築材料管理データ記録システムに関し、特に、コンクリート型枠用合板の管理データ記録システムに関する。
【背景技術】
【０００２】
建築物や構築物等の建築に用いられる建築材料は、建築後も構造物として残る造作材料（例えば、柱材、床材等）と、建築後に構造物から取り外される建築材料（例えば、コンクリート型枠用合板等）とに大別される。一般に木材等の建築材料は、工業規格により認定された建築材料製造業者の工場で板の切断、合板処理、防腐処理等の加工が行われ、加工された建築材料は木材の性能に関する検査がなされた後、検査成績表とともに、建築材料卸売業者に卸される。建築材料卸売業者は、建築業者等の発注を受けて、必要な種類、形状の建築材料を建築現場へ搬入する。建築業者は、建築現場において搬入された建築材料を用いて建築を行う。この種の建築材料のうち、造作材料は建物と構造物として残るためその性能、強度が重要であることは言うまでもないが、コンクリート型枠用合板等のような建築後に構造物から取り外される建築材料も同様に構造物の強度等を左右するため、その性能の高さ、強度の強さはたいへん重要である。しかしながら、この種の建築材料の工業規格適合性あるいは、建築材料の等級等に関するデータは建築材料製造業者、建築材料卸売業者が紙媒体で保管するのみであり、この種の建築材料に関する管理データを、建築材料製造業者、建築材料卸売業者、建築業者、住宅供給業者、最終需要者等、構造物に関わる者が随時閲覧可能なデータとして確認する手立ては乏しいといえる。また、一般に、コンクリート型枠用合板は、構造物から取り外された後、その使用に耐えうる時まで、繰り返し使用されるという過程を辿るが、コンクリート型枠用合板の仕様限界は建築業者の経験や視認により判断されることが多かった。
【０００３】
なお、建築材料に関連する従来技術としては、造作材料にＩＣタグを埋め込み現場で認証するシステムとして、プレカット加工する木材製品に対してＩＣタグを取り付け、取り外し可能に取り付ける構造が開示されている（特許文献１、特許文献２）。また、原木をＩＣタグにより管理する管理方法も開示されている（特許文献３）。コンクリート型枠用合板においては、コンクリート打設時の堅牢性、釘打ち性等を向上させるため様々新規の構造が案出されている（特許文献４、特許文献５及び特許文献６）。また、ＩＣタグは、近年益々の小型化及び軽量化が図られている（特許文献７）。
【先行技術文献】
【特許文献】
【０００４】
【特許文献１】特開２００９−１２４０７号公報
【特許文献２】特開２０１２−２７９４７号公報
【特許文献３】特開２００７−２６４１５号公報
【特許文献４】特開平６−２９７４３５号公報
【特許文献５】特開平７−１８９４８２号公報
【特許文献６】特開２０００−１５４６４４号公報
【特許文献７】国際公開番号ＷＯ２００８/０５３７０２号公報
【発明の概要】
【発明が解決しようとする課題】
【０００５】
上述した引用文献１、２によれば、木材を現場で認証するためのタグやシステムは幾つか案出されているものの、これらは現場での組み間違いがないように木材を認証するシステムであって、建築材料が規格に適合したものであるか、耐用回数内の使用であるか等の材料の性能や履歴を確認するためのものではない。また、建築材料のうちコンクリート型枠用合板等、建築後に構造物から取り外される建築材料を管理するシステムは見当たらない。
【０００６】
そこで、本発明は、建築材料の管理データを、建築材料そのものと分離することなく記録し、当該データを随時確認することができるシステムを提供することを目的とする。
【０００７】
また、とりわけ、建築材料のうち建築後に構造物から取り外される建築材料をも確実に管理することができるシステムを提供することを目的とする。
【課題を解決するための手段】
【０００８】
本発明によれば、建築材料に取り付けられる非接触型のＩＣタグと、前記ＩＣタグに対しデータの書込み・読出しを行うリーダライタとを有し、少なくとも前記建築材料の管理データが前記ＩＣタグに対して書込み・読み出されることを特徴とする建築材料管理データ記録システムが提供される。
【０００９】
また、本発明の他の形態によれば、建築材料は、木材板または合成樹脂材板を貼り合せて形成されたコンクリート型枠用合板であり、前記コンクリート型枠用合板の最小単位部材にＩＣタグが取り付けられることを特徴とする。
【００１０】
また、無線ＩＣタグは、コンクリート型枠用合板の表面に止着されて取り付けられることを特徴とする。
【００１１】
また、無線ＩＣタグは、コンクリート型枠用合板に埋設されて取り付けられることを特徴とする。
【００１２】
また、無線ＩＣタグに記憶させる管理データは、建築材料性能データ、建築材料履歴データ、建築材料配置データの少なくともいずれかを含むことを特徴とする。
【００１３】
また、リーダライタと接続可能な演算装置を有し、管理データは前記演算装置に記憶された表示フォーマットに関連付けて表示装置に表示可能に処理されることを特徴とする。
【００１４】
また、本発明によれば、木材板または合成樹脂材板を貼り合せて形成されたコンクリート型枠用合板であって、建築材料の管理データが記録されるＩＣタグが取り付けられてなることを特徴とするコンクリート型枠用合板が提供される。
【発明の効果】
【００１５】
本発明の建築材料管理データ記録システムによれば、建築材料と分離することなく、当該建築材料の管理データを管理することができる。
【図面の簡単な説明】
【００１６】
【図１】本発明の建築材料管理データ記録システムを実現するための第１の実施の形態にかかるコンクリート型枠用合板を示す斜視図である。
【図２】図１に示すコンクリート型枠用合板の切断例を示す斜視図である。
【図３】本発明の建築材料の管理データ記録システムを実現するための第２の実施の形態にかかるコンクリート型枠用合板を示す斜視図である。
【図４】図３に示すコンクリート型枠用合板の縦断面図である。
【図５】本発明の建築材料管理データ記録システムに用いるＩＣタグの模式的斜視図である。
【図６】図２に示すコンクリート型枠用合板の組み立て例を示す断面図である。
【図７】本発明の建築材料の管理データ記録システムを実現するためのリーダライタ及び演算装置である。
【図８】本発明の本発明の建築材料の管理データ記録システムを模式的に示したブロック図である。
【図９】本発明の建築材料の管理データ記録システムの動作を示すフローチャートである。
【発明を実施するための形態】
【００１７】
次に、本発明を各種の実施例について図面を参照しつつ具体的に説明する。なお、以下の実施例はいずれもコンクリート型枠用合板に無線ＩＣタグを取り付ける場合を例に挙げているが、当然のことながら本発明の建築材料管理データ記録システムは、柱材、床材等の造作材料に応用できるものである。
【００１８】
本発明の建築材料管理データ記録システムは、図１乃至図８に示すように、建築材料１,４に取り付けられる非接触型の無線ＩＣタグ３、該無線ＩＣタグ３にデータを書込み・読取りするためのリーダライタ１０、リーダライタ１０と有線または無線で接続される演算装置９としてのコンピュータで構成される。また、必要に応じて演算装置９及び外部端末（不図示）からアクセス可能なサーバ装置１２が設けられる。
【実施例１】
【００１９】
図１及び図２を用いて、本発明の建築材料管理データ記録システムを実現するための第１の実施の形態にかかるコンクリート型枠用合板１について説明する。建築材料としてのコンクリート型枠用合板１は、コンクリートパネルとも呼ばれるコンクリートの打設工事に使用する型枠用の合板である。コンクリート型枠用合板１は、木材や合成樹脂板等からなる板体２１〜２３を貼り合せて形成されており、板体２１〜２３には、防腐処理等の各種加工処理が施されている。
【００２０】
このコンクリート型枠用合板１の、その使用時に生コンクリートが流し込まれる側と反対側に位置される板体表面２１ａには、無線ＩＣタグ３が接着、圧着等の手法により止着されている。
【００２１】
コンクリート型枠用合板１に止着される無線ＩＣタグ３は、ＲＦＩＤタグとも呼ばれる非接触型の無線通信用タグであり、リーダライタ１０のデータ通信部１１との間でデータの書込み・読取りが可能になっている。
【００２２】
無線ＩＣタグ３の一例を図５に示す。無線ＩＣタグ３は、樹脂製の保護体３４の内部にＩＣタグ本体３０が封入されている物である。無線ＩＣ本体３０は、不揮発性記憶装置、制御回路、変復器、外部からの電波を受信しこれと共振して電流を発生する電源部等を備えたＩＣチップ３２をフェライトコア３１に実装し、これにアンテナコイル３３を接続したＲＦＩＤタグである。なお、保護体３１は、ＩＣタグ本体３０の濡れや、腐食等を防ぐためのものであるが、取り付けられるコンクリート型枠用合板１に影響を与えないようできるだけ薄く形成することが望ましい。また、強アルカリ性の生コンクリートとの接触に備えて抗アルカリ性素材で形成することが望ましい。抗アルカリ性素材の例としては、ポリアミド樹脂材、ポリプロピレン樹脂材が挙げられる。
【００２３】
また、無線ＩＣタグ３は、アンテナ３３の巻回方向と直交する方向に指向性をもつので、これに対峙する端面（３３ａ,３５）がコンクリート型枠用合板１の端面側に位置するよう、コンクリート型枠用合板１に止着することが望ましい。
【００２４】
コンクリート型枠用合板１は、一般に、建築現場での使用が終わると構造物から取り外され、耐用回数に応じて繰り返し使用される。この際、コンクリート型枠用合板１は、その都度、使用される構造物の大きさやコンクリート打設個所に応じて、切断されることがある。図２に示すように、例えば、最初の建築現場ではコンクリート型枠用合板１の全面を使用し、次の建築現場ではＡ−Ａ線にてコンクリート型枠用合板１を切断してコンクリート型枠用合板１の面２１ｂを使用し、最後の建築現場ではＢ−Ｂ線にてコンクリート型枠用合板１を切断してコンクリート型枠用合板１の面２１ｎを使用することが行われる。したがって、無線ＩＣタグ３は、コンクリート型枠用合板１の最小単位部材２１ｎに取り付けることが望ましい。
【実施例２】
【００２５】
図３及び図４を用いて、本発明の建築材料管理データ記録システムを実現するための第２の実施の形態にかかるコンクリート型枠用合板４について説明する。建築材料としてのコンクリート型枠用合板４は、木材や合成樹脂板等からなる板体５１〜５３を貼り合せて形成されている。
【００２６】
このコンクリート型枠用合板４の、板体５１〜５３の貼り合せ個所には、無線ＩＣタグ３が接着、板体に形成された凹部への埋め込み等の手法により埋設されている。尚、無線ＩＣタグ３の構成は実施例１に示したものと同様であるため記載を省略する。
【００２７】
コンクリート型枠用合板４においても、コンクリート型枠用合板１と同様に、切断して使用されることに備えて、無線ＩＣタグ３は、コンクリート型枠用合板４の最小単位部材に取り付けることが望ましい。
【００２８】
コンクリート型枠用合板４の使用例について、図６を参照して説明すれば、一対のコンクリート型枠用合板４はさん木と呼ばれる補強材６１によって補強された後、その下端が台座８１の上に杭８２により固定されるとともに、コンクリート型枠用合板４どうしは、生コンクリートを流し込む間隔を確保して接合用部品７により止められる。また、コンクリート型枠用合板４の転倒を防ぐための補強棒６２により補強支持されることもある。一対のコンクリート型枠用合板４の間のスペースに、生コンクリート１２が流し込まれることによりコンクリート構造物は打設形成される。生コンクリート１２が硬化した後にはコンクリート型枠用合板４は取り外される。
【００２９】
上述の過程を経て、コンクリート構造物は打設されるわけであるが、コンクリート型枠用合板４の強度が高く、撓みが少ない場合には、コンクリート型枠用合板４が両側に膨らむことがなく、適切な厚みの構造物壁を作ることができる。一方、コンクリート型枠用合板４の強度が低く、撓みが大きい場合は、コンクリート型枠用合板４が両側に膨らみ適切な厚みの構造物壁を作ることができない。したがって、コンクリート型枠用合板４の性能や、耐用回数内での使用はコンクリート型枠用合板４を選択する際の重要な要素となり、コンクリート構造物の安全性に影響を与える。コンクリート型枠用合板４以外の建築材料の性能も同様に、コンクリート構造物の安全性を左右することは言うまでもない。
【実施例３】
【００３０】
次に、図７乃至９を参照して、上述した建築材料としてのコンクリート型枠用合板１,４、リーダライタ１０、演算装置９を用いた建築材料管理データ記録システムを説明する。コンクリート型枠用合板１,４に取り付けられた無線ＩＣタグ３は、リーダライタ１０が通信範囲に近づけられることにより、起電状態となりＩＣチップ３２のメモリにデータが書込み・読出されるようになっている。演算装置９に管理データと管理データの種別コードが入力され、書込み指示が入力されると、演算装置９の処理手段は、該管理データを種別コードとともに、リーダライタ１０により無線ＩＣタグ３に書込む。また、演算装置９から読出し指示が入力されるとリーダライタ１０は、無線ＩＣタグに書込まれた管理データを種別コードとともに読出し、演算装置９の処理手段は、読出された管理データを、種類コード毎に紐づけられてなる表示フォーマットに関連付けて表示可能に処理し、表示手段は該データを表示装置９１に表示するようになっている。
【００３１】
建築材料管理データ記録システムにおける、書込み・読取りされる管理データと、その書込みのフローの一例を、図９により説明する。建築材料製造段階で、無線ＩＣタグ３は、建築材料（本実施例の場合には、コンクリート型枠用合板１，４）に取り付けられる。建築材料製造段階で、無線ＩＣタグ３には、建築材料性能データとしての合板検査成績データが書き込まれる（Ｓ１）。合板検査成績データの内容は、例えば、検査受付番号、検査年月日、区分（例えば、壁面加工コンクリート型枠用合板）、検査員名、樹種（例えば、ラワン材、ヒノキ材等）、合板積層数（例えば、３層、５層等）、等級、表面の加工方法、使用薬剤、寸法、厚さ、曲げ剛性試験・剥離性試験・引っ張り試験・含水率試験・寒熱繰り返し試験・耐アルカリ性試験等の試験結果成績等の建築材料性能実データと、これらが工業規格等の認定基準を満たすことを示す認定証データと、入力されたデータが合板検査成績データであることを示す種別コードからなる。
【００３２】
次に、建築材料が、卸売業者に卸された段階で、無線ＩＣタグ３には、第一の建築材料履歴データとしての木材店データが書き込まれる（Ｓ２）。木材店データは、例えば、購入年月日、木材店名、保管方法等の木材店データと、入力されたデータが木材店データであることを示す種別コードからなる。なお、後述するように、木材店では、以前の段階で無線ＩＣタグ３に書き込まれている合板検査成績データを読み出すこともできる。
【００３３】
次に、建築材料が、建築現場で使用された段階で、無線ＩＣタグ３には、第二の建築材料履歴データとしての建築現場データが書き込まれる（Ｓ４）。現場データは、例えば、搬入年月日、建築業者名、施工方法等の現場データと、入力されたデータが現場データであることを示す種別コードからなる。建築現場データの蓄積は、建築材料が繰り返し使用されるたびに行われる（Ｓ４〜Ｓｎ）。なお、後述するように、建築現場では、以前の段階で無線ＩＣタグ３に書き込まれている合板検査成績データ、木材店データを読み出すこともできる。
【００３４】
このように、無線ＩＣタグ３には、建築材料性能データと建築材料履歴データが蓄積されるが、これらのデータは、無線ＩＣタグ３のメモリの改ざん防止領域に書き込むようにし、建築材料の回収段階まで改ざんや初期化ができないようにして、データの改ざんを防止するようにしてもよい。また、建築材料が最終的に廃棄される段階では所定のパスコードを入力することにより無線ＩＣタグ３をリセットし、無線ＩＣタグ３を再利用してもよい。
【００３５】
建築材料管理データ記録システムにおける、管理データの読取りのフローについて、説明する。無線ＩＣタグ３から管理データが読出されると、演算装置９の処理手段は、該管理データに含まれる種別コードから読み出された管理データを表示フォーマットに関連付ける処理を行う。例えば、合板検査成績データの建築材料性能実データは、合板検査成績表フォーマットの所定欄に関連付けられる。また、認定証データは、合板検査成績表フォーマットの画像表示欄に関連付けられる。演算装置９の表示手段は、これらのデータを表示フォーマットに関連付けた状態で表示装置９１に表示する。したがって、閲覧者は、表示装置上で、合板検査成績表と認定証として閲覧することができ、必要に応じて、合板検査成績表と認定証を印刷することができる。
【００３６】
なお、上記システムには、必要に応じて、演算装置９と外部端末（不図示）からアクセス可能なサーバ装置１２を設け、各段階で入力される管理データをサーバ装置１２に集中させてもよい。
【００３７】
さらに、管理データには、建築材料の建築現場での配置位置や組み立て方法を示す、建築材料配置データを含めてもよい。なお、建築材料配置データは、メモリの書換え可能領域に書き込むようにし、建築現場ごとに新たな建築材料配置データを書き替えるようにしてもよい。
【００３８】
このように、システムの利用者は、建築材料に、リーダライタ１０を近接させて、演算装置９を操作するだけで、各段階で建築材料性能データと建築材料履歴データを無線ＩＣタグ３に書込むとともに、以前の段階データを読出すことができる。したがって、建築材料、とりわけ、コンクリート型枠用合板１,４の建築材料性能データと建築材料履歴データを、コンクリート型枠用合板１,４と分離させることなく管理することができるシステムを提供することが可能であり、建築材料及び建築材料を用いる構造物の安全性の確保、信頼の向上を図ることができる。また、上記データのほかに建築材料配置データを書込むことで、建築現場での配置、組み立てを間違いなく行うことができるシステムを提供することが可能であり、建築工程の確実性、迅速性を図ることができる。
【符号の説明】
【００３９】
１  コンクリート型枠用合板
２,２１,２２,２３  板体
３  無線ＩＣタグ
３０  無線ＩＣタグ本体
３１  フェライトコア
３２  ＩＣチップ
３３  アンテナ
３４  保護体
３５  保護体端面
４  コンクリート型枠用合板
５,５１,５２,５３  板体
６１  補強材
６２  補強棒
７  接合用部品
８１  台座
８２  杭
９  演算装置
９１  表示装置
１０  リーダライタ
１１  データ通信部
１２  サーバ装置
１０１  生コンクリート
【図７】
2014169543.tif 000003
【図８】
2014169543.tif 000004
【図９】
2014169543.tif 000005
【図１】
2014169543.tif 000006
【図２】
2014169543.tif 000007
【図３】
2014169543.tif 000008
【図４】
2014169543.tif 000009
【図５】
2014169543.tif 000010
【図６】
2014169543.tif 000011